(57)【要約】  ランドプリピット信号を正確に検出可能な検出回路が提供される。  しきい値電圧生成回路１０は、プッシュプル信号ＳｉｇＰＰに含まれるウォブル信号ＳｉｇＷＢＬの振幅ΔＶを検出し、検出されたウォブル信号ＳｉｇＷＢＬの振幅ΔＶにもとづいて、しきい値電圧Ｖｔｈを生成する。第１フィルタ１２は、プッシュプル信号ＳｉｇＰＰの高周波成分を除去し、ウォブル信号ＳｉｇＷＢＬを抽出する。ピークホールド回路１４は、第１フィルタ１２により抽出されたウォブル信号ＳｉｇＷＢＬのピーク値を保持する。第２フィルタ１６は、プッシュプル信号ＳｉｇＰＰの直流成分である直流信号Ｓｉｇ２を抽出する。アンプ１８は、ピークホールド回路１４の出力と、第２フィルタ１６の出力の差分ΔＶ、すなわちウォブル信号ＳｉｇＷＢＬの振幅を増幅する。【特許請求の範囲】
【請求項１】
プッシュプル信号からランドプリピット信号を抽出するランドプリピット信号検出回路であって、
前記プッシュプル信号に含まれるウォブル信号の振幅を検出し、検出された前記ウォブル信号の振幅にもとづき、しきい値電圧を生成するしきい値電圧生成回路と、
前記プッシュプル信号を、前記しきい値電圧と比較して前記ランドプリピット信号の有無を判定するコンパレータと、
を備えることを特徴とするランドプリピット信号検出回路。
【請求項２】
前記しきい値電圧生成回路は、
前記プッシュプル信号の高周波成分を除去し、前記ウォブル信号を抽出する第１フィルタと、
前記第１フィルタにより抽出された前記ウォブル信号のピーク値を保持するピークホールド回路と、
前記プッシュプル信号の直流成分を抽出する第２フィルタと、
前記ピークホールド回路の出力と、前記第２フィルタの出力との差分を増幅することにより、前記ウォブル信号の振幅を所定倍した前記しきい値電圧を生成するアンプと、
を備えることを特徴とする請求項１に記載のランドプリピット信号検出回路。
【請求項３】
前記アンプは、可変利得増幅器であることを特徴とする請求項２に記載のランドプリピット信号検出回路。
【請求項４】
前記しきい値電圧生成回路は、前記アンプの出力と、前記ピークホールド回路の出力を分圧する分圧回路をさらに備え、当該分圧回路の出力を前記しきい値電圧として出力することを特徴とする請求項２に記載のランドプリピット信号検出回路。
【請求項５】
前記分圧回路の分圧比は、調節可能に構成されることを特徴とする請求項４に記載のランドプリピット信号検出回路。
【請求項６】
１つの半導体基板上に一体集積化されることを特徴とする請求項１から５のいずれかに記載のランドプリピット信号検出回路。
【請求項７】
ディスクに書き込まれた情報を読み出すピックアップと、
前記ピックアップにより読み出されたプッシュプル信号からランドプリピット信号を検出する請求項１から５のいずれかに記載のランドプリピット信号検出回路と、
を備えることを特徴とする光ディスク装置。
【請求項８】
請求項７に記載の光ディスク装置を備えることを特徴とする電子機器。
【発明の詳細な説明】
【技術分野】
【０００１】
本発明は、データ書込が可能な光ディスク装置に関し、特にＤＶＤ−Ｒ、ＤＶＤ−ＲＷ等の光ディスク装置におけるランドプリピット信号の検出技術に関する。
【背景技術】
【０００２】
音声、映像情報の記録メディアとして、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）などの光ディスクが、著しい普及を遂げている。高密度にデータを記録、再生可能なＤＶＤ−Ｒ、ＤＶＤ−ＲＷなどのディスク基板上には、アドレス情報の管理や、回転制御を行うために、所定の周期で蛇行して形成されたウォブルとよばれるグルーブ（溝）が螺旋状に形成される。さらに、隣接するグルーブ間に位置するランドには、補助的な情報として使用されるランドプリピットが形成される。【０００３】
このように光ディスクに必要な情報を書込み、あるいは読み出す際には、光ディスクにレーザ光を照射し、反射光を光ピックアップにて検出する。光ピックアップにより検出された信号は、増幅され、上述のウォブルおよびランドプリピットに対応して現れるウォブル信号およびランドプリピット信号が重畳されたプッシュプル信号として出力される。光ディスク装置においては、このプッシュプル信号から、ウォブル信号およびランドプリピット信号を検出して、アドレス情報の管理などを行う。たとえば、特許文献１、２には、プッシュプル信号から、ランドプリピット信号を検出する技術が開示されている。【０００４】
【特許文献１】特開２００３−１２３２６０号公報
【特許文献２】特開２００５−７８６８６号公報
【発明の開示】
【発明が解決しようとする課題】
【０００５】
特許文献２に開示される技術では、プッシュプル信号から高周波成分を除去することにより、ウォブル信号と同一の周波数および振幅を有するスルーレート信号を生成し、このスルーレート信号を平滑化して得られる平滑信号を、しきい値電圧（スライス信号）として、ランドプリピット信号の検出を行っている。
しかしながら、この方法では、ウォブル信号の振幅の最大値（または最小値）付近にノイズが現れた場合に、ランドプリピット信号として誤って検出してしまうおそれがある。【０００６】
本発明は係る課題に鑑みてなされたものであり、その包括的な目的は、ランドプリピット信号をより高精度に検出可能なランドプリピット信号検出回路およびそれを用いた光ディスク装置の提供にある。
【課題を解決するための手段】
【０００７】
本発明のある態様はプッシュプル信号からランドプリピット信号を抽出するランドプリピット信号検出回路に関する。このランドプリピット信号検出回路は、プッシュプル信号に含まれるウォブル信号の振幅を検出し、このウォブル信号の振幅にもとづき、しきい値電圧を生成するしきい値電圧生成回路と、プッシュプル信号を、しきい値電圧と比較してランドプリピット信号の有無を判定するコンパレータと、を備える。【０００８】
この態様によると、ランドプリピット信号の検出のためのしきい値電圧がウォブル信号の振幅の変化に追従して変化するため、精度よくランドプリピット信号を検出することができる。【０００９】
しきい値電圧生成回路は、プッシュプル信号の高周波成分を除去し、ウォブル信号を抽出する第１フィルタと、第１フィルタにより抽出されたウォブル信号のピーク値を保持するピークホールド回路と、プッシュプル信号の直流成分を抽出する第２フィルタと、ピークホールド回路の出力と、前記第２フィルタの出力の差分を増幅することにより、ウォブル信号の振幅を所定倍したしきい値電圧を生成するアンプと、を備えてもよい。
ウォブル信号のピーク値と直流値の差分を増幅することにより、ウォブル信号の振幅にもとづいたしきい値電圧を好適に生成することができる。【００１０】
また、アンプは、可変利得増幅器であってもよい。アンプの利得を変化させることにより、本ランドプリピット信号検出回路の前段に設けられるピックアップや、読み込み、書き込みの対象となる光ディスクメディアの種類、あるいは光ディスクの回転速度に応じて、しきい値電圧を適切な値に設定することができる。【００１１】
しきい値電圧生成回路は、アンプの出力と、ピークホールド回路の出力を分圧する分圧回路をさらに備え、当該分圧回路の出力をしきい値電圧として出力してもよい。分圧回路の分圧比は、調節可能に構成されてもよい。
このような構成とすることにより、しきい値電圧をウォブル信号の最大値より確実に高く設定することができる。【００１２】
ランドプリピット信号検出回路は、１つの半導体基板上に一体集積化されてもよい。「一体集積化」とは、回路の構成要素のすべてが半導体基板上に形成される場合や、回路の主要構成要素が一体集積化される場合が含まれ、回路定数の調節用に一部の抵抗やキャパシタなどが半導体基板の外部に設けられていてもよい。【００１３】
本発明の別の態様は、光ディスク装置である。この装置は、ディスクに書き込まれた情報を読み出すピックアップと、ピックアップにより読み出されたプッシュプル信号からランドプリピット信号を検出する上述のランドプリピット信号検出回路と、を備える。【００１４】
この態様によると、ランドプリピット信号を精度よく検出することができる。【００１５】
なお、以上の構成要素の任意の組合せや本発明の構成要素や表現を、方法、装置、システムなどの間で相互に置換したものもまた、本発明の態様として有効である。
【発明の効果】
【００１６】
本発明に係るランドプリピット信号検出回路によれば、ランドプリピット信号を高精度に検出することができる。
【図面の簡単な説明】
【００１７】
【図１】本実施の形態に係るランドプリピット信号検出回路の構成を示す回路図である。
【図２】図１のランドプリピット信号検出回路を用いた光ディスク装置の構成を示すブロック図である。
【図３】図３（ａ）〜（ｃ）は、図１のランドプリピット信号検出回路の動作波形図である。
【図４】図１のランドプリピット信号検出回路の変形例を示す回路図である。
【図５】図４のランドプリピット信号検出回路の動作波形図である。
【符号の説明】
【００１８】
１００  ランドプリピット信号検出回路、  １０  しきい値電圧生成回路、  １２  第１フィルタ、  １４  ピークホールド回路、  １６  第２フィルタ、  １８  アンプ、  ２０  分圧回路、  ３０  コンパレータ、  ２００  光ディスク装置、  ２０２  スピンドルモータ、  ２０４  ピックアップ、  ２０６  制御部、  ２１０  光ディスク、  ＳｉｇＰＰ  プッシュプル信号、  ＳｉｇＬＰＰ  ランドプリピット信号、  ＳｉｇＷＢＬ  ウォブル信号、  Ｓｉｇ１  ピーク信号、  Ｓｉｇ２  直流信号、  Ｖｔｈ  しきい値電圧。
【発明を実施するための最良の形態】
【００１９】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。【００２０】
図１は、本実施の形態に係るランドプリピット信号検出回路１００の構成を示す回路図である。また、図２は、図１のランドプリピット信号検出回路１００を用いた光ディスク装置２００の構成を示すブロック図である。【００２１】
図２の光ディスク装置２００は、パーソナルコンピュータや、ＤＶＤレコーダなどの電子機器に内蔵され、映像、音声データその他のデジタルデータを記録、再生するために用いられる。光ディスク装置２００は、スピンドルモータ２０２、光ディスク２１０、ピックアップ２０４、ランドプリピット信号検出回路１００、制御部２０６を備える。【００２２】
ピックアップ２０４は光ディスク２１０に対してレーザ光を照射し、反射した光を検出し、増幅することにより、光ディスク２１０に記録されたデータを電気信号として読み出す。より具体的には、光ディスク２１０上に形成されたグルーブと、それと隣接するランドにレーザ光を照射して、ウォブル信号と、ランド上のランドプリピット信号が重畳されたプッシュプル信号ＳｉｇＰＰを検出し、ランドプリピット信号検出回路１００へと出力する。【００２３】
ランドプリピット信号検出回路１００は、プッシュプル信号ＳｉｇＰＰからランドプリピット信号ＳｉｇＬＰＰを抽出し、制御部２０６へと出力する。制御部２０６は、ランドプリピット信号ＳｉｇＬＰＰからアドレス情報などを取得し、スピンドルモータ２０２やピックアップ２０４の制御を行う。以下、図１に戻り、本実施の形態に係るランドプリピット信号検出回路１００の構成について詳細に説明する。【００２４】
ランドプリピット信号検出回路１００は、入力端子１０２に入力されたプッシュプル信号ＳｉｇＰＰからランドプリピット信号ＳｉｇＬＰＰを検出し、出力端子１０４から出力する。ランドプリピット信号検出回路１００は、本実施の形態において、１つの半導体基板上に一体集積化される。ランドプリピット信号検出回路１００は、単独でひとつのＬＳＩとして構成してもよいが、前後の機能ブロックを統合したアナログフロントエンド（ＡＦＥ）回路として構成されてもよい。【００２５】
このランドプリピット信号検出回路１００は、しきい値電圧生成回路１０、コンパレータ３０を備える。しきい値電圧生成回路１０は、プッシュプル信号ＳｉｇＰＰに含まれるウォブル信号ＳｉｇＷＢＬの振幅を検出し、検出されたウォブル信号ＳｉｇＷＢＬの振幅にもとづき、しきい値電圧Ｖｔｈを生成する。【００２６】
しきい値電圧生成回路１０は、第１フィルタ１２、ピークホールド回路１４、第２フィルタ１６、アンプ１８を含む。
第１フィルタ１２は、プッシュプル信号ＳｉｇＰＰの高周波成分を除去し、ウォブル信号ＳｉｇＷＢＬを抽出する。第１フィルタ１２のカットオフ周波数は、ランドプリピット信号ＳｉｇＬＰＰとノイズ成分を除去可能な値に設定する。
ピークホールド回路１４は、第１フィルタ１２により抽出されたウォブル信号ＳｉｇＷＢＬのピーク値を保持する。ピークホールド回路１４の出力信号をピーク信号Ｓｉｇ１とする。【００２７】
第２フィルタ１６は、プッシュプル信号ＳｉｇＰＰの直流成分を抽出する。第２フィルタ１６のカットオフ周波数は、第１フィルタ１２のカットオフ周波数に対し十分に低く設定しておく。第２フィルタ１６の出力信号を直流信号Ｓｉｇ２とする。
アンプ１８は、可変利得増幅器であって、ピークホールド回路１４の出力と、第２フィルタ１６の出力の差分を増幅する。アンプ１８の利得ｇは図示しない制御信号によって制御される。このアンプ１８の出力信号は、しきい値電圧Ｖｔｈとして出力される。【００２８】
コンパレータ３０は、プッシュプル信号ＳｉｇＰＰを、しきい値電圧生成回路１０から出力されるしきい値電圧Ｖｔｈと比較してランドプリピット信号ＳｉｇＬＰＰの有無を判定する。【００２９】
以上のように構成されたランドプリピット信号検出回路１００の動作について説明する。図３（ａ）〜（ｃ）は、図１のランドプリピット信号検出回路１００の動作波形図であり、図３（ａ）は、プッシュプル信号ＳｉｇＰＰおよびしきい値電圧Ｖｔｈを、図３（ｂ）は、ウォブル信号ＳｉｇＷＢＬ、ピーク信号Ｓｉｇ１および直流信号Ｓｉｇ２を、図３（ｃ）は、ランドプリピット信号ＳｉｇＬＰＰを示す。【００３０】
ランドプリピット信号検出回路１００の入力端子１０２には、図３（ａ）に示すウォブル信号とランドプリピット信号が重畳されたプッシュプル信号ＳｉｇＰＰが入力される。このプッシュプル信号ＳｉｇＰＰは、第１フィルタ１２、第２フィルタ１６およびコンパレータ３０へと入力される。【００３１】
第１フィルタ１２は、プッシュプル信号ＳｉｇＰＰの高周波成分を除去し、ランドプリピット信号を取り除くことにより図３（ｂ）のウォブル信号ＳｉｇＷＢＬを出力する。ピークホールド回路１４はこのウォブル信号ＳｉｇＷＢＬのピーク値を保持することにより、ピーク信号Ｓｉｇ１を生成する。また、第２フィルタ１６は、プッシュプル信号ＳｉｇＰＰの直流成分を抽出し、直流信号Ｓｉｇ２を生成する。【００３２】
アンプ１８は、ピーク信号Ｓｉｇ１と、直流信号Ｓｉｇ２との差分ΔＶを利得ｇにて増幅してしきい値電圧Ｖｔｈを生成する。このピーク信号Ｓｉｇ１と直流信号Ｓｉｇ２との差分ΔＶは、ウォブル信号ＳｉｇＷＢＬの振幅に他ならない。コンパレータ３０は、プッシュプル信号ＳｉｇＰＰとしきい値電圧Ｖｔｈの電圧値を比較し、ＳｉｇＰＰ＞Ｖｔｈのときハイレベルとなるランドプリピット信号ＳｉｇＬＰＰを出力する。【００３３】
このように本実施の形態に係るランドプリピット信号検出回路１００によれば、しきい値電圧Ｖｔｈがウォブル信号ＳｉｇＷＢＬの振幅ΔＶの変化に追従して変化するため、精度よくランドプリピット信号ＳｉｇＬＰＰを検出することができる。【００３４】
アンプ１８の利得ｇは、ランドプリピット信号検出回路１００の前段に設けられるピックアップ２０４や、読み込み、書き込みの対象となる光ディスク２１０のメディアの種類、あるいは光ディスク２１０の回転速度に応じて変化させてもよい。その結果、ランドプリピット信号検出用のしきい値電圧Ｖｔｈを光ディスク装置２００の使用状態に応じて好適に調節することができる。
なお、必ずしもアンプ１８として可変利得増幅器を用いる必要はなく、あらかじめ決められた利得で増幅を行う固定利得増幅器を用いてもよい。この場合、回路を簡素化することができる。【００３５】
図４は、図１のランドプリピット信号検出回路１００の変形例を示す回路図である。図４において、図１と同一または同等の構成要素には同一の符号を付し、適宜説明を省略する。
図４のしきい値電圧生成回路１０は、アンプ１８の出力信号Ｓｉｇ３と、ピークホールド回路１４の出力であるピーク信号Ｓｉｇ１を分圧する分圧回路２０をさらに備え、分圧回路２０の出力信号をしきい値電圧Ｖｔｈとして出力する。分圧回路２０の分圧比をａ：ｂとすると、しきい値電圧Ｖｔｈは、Ｖｔｈ＝（ａ×Ｓｉｇ１＋ｂ×Ｓｉｇ３）／（ａ＋ｂ）で与えられる。分圧回路２０は、公知の技術を用いて構成すればよい。【００３６】
図５は、図４のランドプリピット信号検出回路１００の動作波形図である。ウォブル信号ＳｉｇＷＢＬの振幅ΔＶがアンプ１８によって増幅され、信号Ｓｉｇ３が生成される。アンプ１８の利得ｇは、Ｓｉｇ３＞Ｓｉｇ１が成り立つように設定する。しきい値電圧Ｖｔｈは、アンプ１８の出力信号Ｓｉｇ３とピーク信号Ｓｉｇ１を分圧することによって生成される。【００３７】
アンプ１８の利得ｇを固定し、分圧回路２０の分圧比を、調節可能に構成してもよい。分圧比を制御することにより、しきい値電圧Ｖｔｈを調節することができる。また、アンプ１８を可変利得増幅器としつつ、分圧回路２０の分圧比を調節可能に構成してもよい。この場合、利得ｇと分圧比の両方によってしきい値電圧Ｖｔｈを高電位側、あるいは低電位側にシフトして調節することができる。【００３８】
上記実施の形態は例示であり、それらの各構成要素や各処理プロセスの組合せにいろいろな変形例が可能なこと、またそうした変形例も本発明の範囲にあることは当業者に理解されるところである。【００３９】
実施の形態では、ランドプリピット信号検出回路１００がひとつのＬＳＩに一体集積化される場合について説明したが、これには限定されず、一部の構成要素がＬＳＩの外部にディスクリート素子あるいはチップ部品として設けられ、あるいは複数のＬＳＩにより構成されてもよい。【００４０】
実施の形態では、ピークにランドプリピット信号ＳｉｇＬＰＰが、プッシュプル信号ＳｉｇＰＰの現れる場合について説明したが、これには限定されず、プッシュプル信号ＳｉｇＰＰのボトムに現れる場合であっても、各信号の論理値を反転することにより好適に検出することができる。【００４１】
実施の形態にもとづき、本発明を説明したが、実施の形態は、本発明の原理、応用を示しているにすぎないことはいうまでもなく、実施の形態には、請求の範囲に規定された本発明の思想を離脱しない範囲において、多くの変形例や配置の変更が可能であることはいうまでもない。
【産業上の利用可能性】
【００４２】
本発明は、ディスク装置に利用することができる。
【図１】
2007007796.tif 000002
【図２】
2007007796.tif 000003
【図３】
2007007796.tif 000004
【図４】
2007007796.tif 000005
【図５】
2007007796.tif 000006
【国際調査報告】
2007007796.tif 000007
2007007796.tif 000008